(57)【特許請求の範囲】
【請求項１】
倍率の異なる２種類の変換レンズを選択操作に応じて撮影光路中に挿脱させる変換レンズ切替装置において、
撮影光路外の第１の退避位置及び撮影光路中の第１の使用位置間で回動自在に設けられた第１の変換レンズと、
前記第１の変換レンズを前記第１の退避位置又は第１の使用位置に移動させるための操作を行う第１の操作手段と、
撮影光路外の第２の退避位置及び撮影光路中の第２の使用位置間で回動自在に設けられ、前記第１の変換レンズが第１の使用位置に向かう方向に移動されたときに前記第１の変換レンズの枠部が当接するように配置された第２の変換レンズと、
前記第２の変換レンズを前記第２の退避位置又は第２の使用位置に移動させるための操作を行う第２の操作手段と、
前記第２の変換レンズの回動動作に連動して回動する連動部材と、
前記連動部材及び前記第２の操作手段を連結し前記連動部材を回動方向に付勢する付勢手段であって、前記第２の操作部材の操作方向に応じて付勢方向が反転するように配設された付勢手段と、
から成ることを特徴とする変換レンズ切替装置。
【請求項２】
前記第１の変換レンズと第２の変換レンズとは共通の軸に回動自在に支持されていることを特徴とする請求項１の変換レンズ切替装置。
【請求項３】
前記連動部材は、ギヤを介して前記第２の変換レンズと連結され、
該連結部材に前記付勢手段に相当する引張バネの一端が固定されるとともに、前記第２の操作部材に前記引張バネの他端が固定されて構成されることを特徴とする請求項１の変換レンズ切替装置。
【請求項４】
前記第１の変換レンズとして２倍以上の拡大系レンズが設けられ、前記第２の変換レンズとして等倍未満の縮小系レンズが設けられていることを特徴とする請求項１の変換レンズ切替装置。
【請求項５】
有効撮像画面のアスペクト比を４：３と１６：９とに選択的に切り替えることができるテレビカメラに適用可能なテレビレンズに採用されることを特徴とする請求項１の変換レンズ切替装置。
【発明の詳細な説明】
【０００１】
【発明の属する技術分野】
本発明は変換レンズ切替装置に係り、特に、放送用テレビカメラ等に用いられ、倍率の異なる２つの変換レンズを撮影光路中に選択的に挿脱させるための変換レンズ切替装置に関する。
【０００２】
【従来の技術】
近年、放送用テレビカメラ等の分野では、アスペクト比４：３とアスペクト比１６：９を選択的に切り替えることができるカメラが実用化されている。この種のスイッチャブル対応カメラでは、例えば、撮像面に１６：９のＣＣＤ素子が用いられ、アスペクト比４：３に設定された場合には、ＣＣＤ素子の左右の一部領域を使用せず、中央部のアスペクト比４：３の領域のみを使用するようになっている。従って、アスペクト比４：３に設定した場合には画角が約２０％狭くなり、画面に写る映像は撮影レンズ本来の諸元を満たしたものでないという問題があった。
【０００３】
かかる課題に対し、撮影光路上に約０．８倍程度の変換レンズ（レシオコンバータ）を挿脱させてイメージサイズφを変更し、上記欠点を解消する方法も知られている。このように２つの変換レンズを光軸上に挿脱させる機構は、例えば、特開平８−１７１０４３号公報に開示されている。
同公報では、倍率の異なる２つの変換レンズが回動自在に支持されており、各レンズは、撮影光路外のそれぞれの退避位置から撮影光路中の使用位置へ移動可能となっている。そして、各レンズを個別に回動させるための操作部材として、レンズ装置ケーシングの前後面に２つの操作レバーが設けられている。
【０００４】
【発明が解決しようとする課題】
しかしながら、従来の変換レンズの切替機構では、レシオコンバータ切替レバーを操作してレシオコンバータを使用位置に挿入した状態でエクステンダー切替レバーを操作してエクステンダーの挿入動作を行うと、エクステンダーの回動動作によってレシオコンバータは使用位置から押し出され、退避位置へと移動するようになっている。ところが、その後、エクステンダー切替レバーを操作して、エクステンダーを撮影光路上から離脱させても、レシオコンバータは退避位置に位置したままの状態となっている。従って、レシオコンバータを使用位置に復帰させるには、再びレシオコンバータ切替レバーを操作しなければならず、切替操作が煩雑であるという欠点がある。
【０００５】
一方、かかる課題に対して、特開平８−１８４８８９号公報では、エクステンダーレンズとシュリンカ（レシオコンバータに相当）とをクラッチを介して連結し、操作部材の一操作でエクステンダーレンズとシュリンカとの切替動作を同時に行うようにしている。しかし、同公報に記載の如くクラッチを用いた構成は切替機構が複雑であるという問題がある。
【０００６】
本発明はこのような事情に鑑みてなされたもので、簡易な機構によって、倍率の異なる２つの変換レンズのうちの何れか一方を選択的に挿脱することができ、特に、一方の変換レンズ（レシオコンバータ）の使用時には、他方の変換レンズ（エクステンダー）の挿脱動作に前記一方の（使用中の）変換レンズの挿脱動作を追従させることができる変換レンズの切替装置を提供することを目的とする。
【０００７】
【課題を解決するための手段】
本発明は前記目的を達成するために、倍率の異なる２種類の変換レンズを選択操作に応じて撮影光路中に挿脱させる変換レンズ切替装置において、撮影光路外の第１の退避位置及び撮影光路中の第１の使用位置間で回動自在に設けられた第１の変換レンズと、前記第１の変換レンズを前記第１の退避位置又は第１の使用位置に移動させるための操作を行う第１の操作手段と、撮影光路外の第２の退避位置及び撮影光路中の第２の使用位置間で回動自在に設けられ、前記第１の変換レンズが第１の使用位置に向かう方向に移動されたときに前記第１の変換レンズの枠部が当接するように配置された第２の変換レンズと、前記第２の変換レンズを前記第２の退避位置又は第２の使用位置に移動させるための操作を行う第２の操作手段と、前記第２の変換レンズの回動動作に連動して回動する連動部材と、前記連動部材及び前記第２の操作手段を連結し前記連動部材を回動方向に付勢する付勢手段であって、前記第２の操作部材の操作方向に応じて付勢方向が反転するように配設された付勢手段と、から成ることを特徴としている。
【０００８】
本発明によれば、第１及び第２の変換レンズが共に撮影光路から退避している状態（スルー状態）では、第１の操作手段を操作することによって、第１の変換レンズを撮影光路外の第１の退避位置と撮影光路中の第１の使用位置との間で自由に移動可能であり、第１の変換レンズだけを独立して挿脱することができる。
同様に、このスルー状態では、第２の操作手段を操作することによって、第２の変換レンズを第２の退避位置と第２の使用位置との間で自由に移動させることができ、第２の変換レンズだけを独立して挿脱することができる。
【０００９】
その一方、第２の変換レンズが撮影光路中の第２の使用位置に挿入されている時に、第１の操作手段を操作して第１の変換レンズを撮影光路中に進出させると、第１の変換レンズの枠部が第２の変換レンズに当接し、第１の変換レンズの回動動作によって第２の変換レンズは撮影光路上から押し出される。こうして、第２の変換レンズは第２の退避位置に移動し、代わって第１の変換レンズが撮影光路中の第１の使用位置に移動する。
【００１０】
このとき、第２の変換レンズは、連結部材と第２の操作手段との間に設けられた付勢手段の付勢力に抗して、第２の操作部材の操作位置（第２の変換レンズの挿入を設定する位置）とは逆の方向（第２の変換レンズが退避する方向）に強制的に移動される。従って、次に、第１の操作手段を操作して第１の変換レンズを撮影光路から退避する方向に移動させると、付勢手段に蓄えられた力が解放され、その付勢力によって第２の変換レンズは撮影光路中の第２の使用位置に復帰する。
【００１１】
これにより、第２の変換レンズの使用時には、第１の変換レンズの挿脱動作に第２の変換レンズの挿脱動作を追従させることができ、切替操作が容易になる。また、第１の変換レンズの挿入によって撮影光路から強制的に押し出された第２の変換レンズを、第１の変換レンズの退避動作とともに付勢手段の付勢力によって元の撮影光路中の位置（第１の使用位置）に復帰させるようにしたので、クラッチ等が不要で簡単に構成することができる。
【００１２】
特に、第１の変換レンズと第２の変換レンズとを共通の軸に独立して回動自在に設けることにより、一層の省スペース化を図ることができる。
本発明は、２倍以上の拡大系レンズ（エクステンダー）と等倍（１倍）未満の縮小系レンズ（レシオコンバータ）とを選択的に切り替える変換レンズ切替装置に適用することが可能であり、有効撮像画面のアスペクト比を４：３と１６：９とに選択的に切り替えることができるテレビカメラに用いられるテレビレンズに組み込むと一層効果的である。
【００１３】
【発明の実施の形態】
以下添付図面に従って本発明に係る変換レンズ切替装置の好ましい実施の形態について詳説する。
図１は、本発明の実施の形態に係る変換レンズ切替装置を適用したテレビカメラ用ズームレンズ装置（ＥＮＧレンズ）の外観平面図である。同図に示すテレビカメラ用ズームレンズ装置１は、ＥＮＧカメラ等の放送用テレビカメラに用いられるインナーフォーカス式ズームレンズであり、レンズ本体２の前面にレンズフード４が設けられるとともに、レンズ本体２の側部に駆動ユニット６が取り付けられている。
【００１４】
レンズ本体２は、レンズ本体２の周面には、フォーカスギヤ８、ズームギヤ１０及びアイリスギヤ１２が形成されており、各ギヤ８、１０、１２は駆動ユニット６の対応する動力伝達系のギヤ（不図示）にそれぞれ噛合される。図１中符号１４はフォーカスリング、１６はズームリング、１７はズームシーソーコントロールレバー、１８はＶＴＲスイッチ、１９はストラップバンドである。
【００１５】
レンズ本体２の内部構成については、図示されていないが、周知の如く、鏡胴内には、前方から順に、固定フォーカスレンズ群、移動フォーカスレンズ群、変倍レンズ系、補正レンズ系、アイリス、及びリレーレンズ等が設けられ、その後方に、変換レンズ切替装置に相当するエクステンダー部２０が設けられている。
エクステンダー部２０の後端面には、エクステンダー切替レバー（第１の操作手段）２２が設けられるとともに（図２参照）、エクステンダー部２０の前端面には、図３に示したようにレシオコンバータ切替レバー（第２の操作手段）２４が設けられている。尚、図３ではレンズフード４は省略されている。
【００１６】
図４はエクステンダー部２０の正面透視図であり、図５はその断面図である。エクステンダー部２０はケース体２６を有し、このケース体２６内には、例えば、２倍のエクステンダー（第１の変換レンズに相当）２８と、約０．８倍のレシオコンバータ（第２の変換レンズに相当）３０が配置される。尚、エクステンダー２８やレシオコンバータ３０はそれぞれ１枚又は複数枚のレンズにより構成される。
【００１７】
エクステンダー２８の枠体３２は、支軸３４に取り付けるための保持用リング３２Ａを有し（図５参照）、このリング３２Ａを介してエクステンダー２８は支軸３４に回動自在に支持されている。
同様に、レシオコンバータ３０の枠体３６は、支軸３４に取り付けるための保持用リング３６Ａを有し、このリング３６Ａを介してレシオコンバータ３０は支軸３４に回動自在に支持されている。
【００１８】
図４に示した位置Ｐ1 がエクステンダー２８の退避位置（第１の退避位置）であり、位置Ｐ2 がレシオコンバータ３０の退避位置（第２の退避位置）である。そして、位置Ｑが撮影光路中の使用位置となる。
また、退避位置Ｐ1 でエクステンダー２８を係止するためにケース体２６には図示せぬストッパが設けられており、該ストッパにエクステンダー２８の枠体３２の縁部が当接することによって、エクステンダー２８が所定の退避位置（Ｐ1 ）に位置決めされる。
【００１９】
同様に、退避位置Ｐ2 でレシオコンバータ３０を係止するためにケース体２６には図示せぬストッパが設けられており、該ストッパにレシオコンバータ３０の枠体３６の縁部が当接することによって、レシオコンバータ３０が所定の退避位置（Ｐ2 ）に位置決めされる。
更に、エクステンダー２８の枠体３２にネジ螺合部を有する取付部３２Ｂが形成され、この取付部３２Ｂにストッパ３８が取り付けられる。他方、レシオコンバータ３０の枠体３６には前記ストッパ３８の頭部が当接される平坦部（当接部）３６Ｂが形成されている。エクステンダー２８のストッパ３８がレシオコンバータ３０の平坦部３６Ｂに当たって係止されることによって、エクステンダー２８及びレシオコンバータ３０が所定の使用位置Ｑに位置決めされる。
【００２０】
尚、ケース体２６には、エクステンダー２８及びレシオコンバータ３０を位置決めする図示せぬストッパがネジ螺合部を介して設けられており、このストッパのねじ込み量を調整することによってエクステンダー２８及びレシオコンバータ３０の係止位置を調節できるようになっている。
図５に示されているように、エクステンダー３０の保持用リング３２Ａとレシオコンバータ３０の保持用リング３６Ａは支軸３４に互い違いに配置されている。また、保持用リング３２Ａ、３６Ａには、ギヤ４０、４２が一体的に形成されている。
【００２１】
エクステンダー切替レバー２２の軸４４はケース体２６に回動自在に支持されており、該軸４４の端部にはギヤ４５が一体的に固設されている。そして、該ギヤ４５は保持用リング３２Ａのギヤ４０に噛合されるとともにギヤ４６と噛合されている。ギヤ４６はケース体２６に固設された軸４８に回動自在に支持されており、このギヤ４６にはピン５０が植設されている。
【００２２】
更に、ケース体２６の所定の位置にもピン５２が固設されており、両ピン５０、５２間に引張バネ５４が渡されている。即ち、引張バネ５４の一端は不動に固定されたピン５２に係合され、他端はギヤ４６と共に回動するピン５０に係合されている。こうして、引張バネ５４によってギヤ４６は周方向に付勢されるが、ギヤ４６の回動位置によって引張バネ５４の支点位置が移動し、その付勢方向が変わるようになっている。かかる構成により、エクステンダー切替レバー２２を回動操作することにより、ギヤ４５、４０を介してエクステンダー２８を支軸３４の回りに回動させることができる。
【００２３】
レシオコンバータ切替レバー２４の軸５８は、ケース体２６に回動自在に支持されており、該軸５８の端部にはプレート部材６０が一体的に設けられている。そして、このプレート部材６０にはピン６２が植設されている。
一方、レシオコンバータ３０の保持用リング３６Ａに形成されたギヤ４２には、扇形状歯車（連動部材）６４が噛合されている。この扇形状歯車６４はプレート部材６６に固設された軸６８に回動自在に支持されており、該プレート部材６６はボルト７０によってケース体２６に取り付けられている。
【００２４】
前記扇形状歯車６４にはピン７２が植設されており、該ピン７２とプレート部材６０のピン６２との間に引張バネ（付勢手段）７４が渡されている。即ち、引張バネ７４の一端は扇形状歯車６４のピン７２に係合され、他端はレシオコンバータ切替レバー２４と一体的に回動するピン６２に係合されている。こうして、引張バネ７４によって扇形状歯車６４は回動方向に付勢されるが、レシオコンバータ切替レバー２４の操作位置や扇形状歯車６４の回動位置によって引張バネ７４の支点位置が移動し、その付勢方向が変わるようになっている。
【００２５】
これにより、レシオコンバータ切替レバー２４を回動操作することにより、その回動動作が引張バネ７４を介して扇形状歯車６４に伝達され、扇形状歯車６４を介してレシオコンバータ３０を支軸３４の回りに回動させることができる。
次に、上記の如く構成された変換レンズ切替装置を備えたテレビカメラ用ズームレンズ装置の作用を説明する。
【００２６】
先ず、エクステンダー２８単体の動作について述べる。図６に示すように、エクステンダー２８が退避位置Ｐ1 に存在するとき、ギヤ４６は引張バネ５４によって図中時計回り方向に付勢されている。従って、該ギヤ４６と噛合するギヤ４５には反時計回り方向の力が加わり、ギヤ４５と噛み合うエクステンダー２８の枠体３２には時計回り方向の力が付与される。こうして、エクステンダー２８は図示せぬストッパに押し付けられて退避位置Ｐ1 に維持される。
【００２７】
この状態から、エクステンダー切替レバー２２を図６中時計回り方向に操作すると、図７に示したように、エクステンダー切替レバー２２の軸４４に固設されたギヤ４５が時計回り方向に回転する。この操作によって、ギヤ４５と噛合するエクステンダー２８の枠体３２は軸３４を中心に反時計回転方向に回動し、エクステンダー２８は使用位置Ｑに移動する。
【００２８】
また、ギヤ４５と噛み合うギヤ４６も反時計回り方向に回転する。ギヤ４６の回転によってピン５０の位置が移動し、引張バネ５４によるギヤ４６の付勢方向が変わる。即ち、ギヤ４６は図７中反時計回り方向に付勢され、エクステンダー２８の枠体３２には反時計回り方向に力が付与される。こうして、エクステンダー２８のストッパ３８がレシオコンバータ３０の枠体３６の平坦部３６Ｂに押し付けられてエクステンダー２８が使用位置Ｑに維持される。
【００２９】
図７に示した状態からエクステンダー切替レバー２２を反時計回り方向に操作して図６に示した退避状態に戻すことができる。
続いて、レシオコンバータの動作について説明する。
アスペクト比を４：３又は１６：９に切り替えることができるテレビカメラ（スイッチャブル対応カメラ）をアスペクト比１６：９で使用する場合、１６：９の有効画素領域（例えば、イメージサイズφ１１）をそのまま使用することになる。この場合は、図８に示したようにエクステンダー２８とレシオコンバータ３０とを共にそれぞれの退避位置Ｐ1 、Ｐ2 に位置させた状態（スルー状態）に設定する。
【００３０】
図８に示すように、レシオコンバータ切替レバー２４がレシオコンバータ・アウトの位置に設定されてレシオコンバータ３０が退避位置Ｐ2 にあるとき、扇形状歯車６４は引張バネ７４によって図８中時計回り方向に付勢されている。従って、扇形状歯車６４と噛み合うレシオコンバータ３０の枠体３６には反時計回り方向の力が付与され、レシオコンバータ３０は図示せぬストッパに押し付けられて退避位置Ｐ2 に維持される。
【００３１】
他方、アスペクト比４：３で使用する場合、１６：９の有効画素領域の中で、４：３の領域（イメージサイズφ９）のみを使用することになる。かかる場合に、画角を広げてイメージサイズφ１１のときと同じ画像サイズを得るためのレシオコンバータ３０を撮影光路中に挿入する。
即ち、図９に示したように、レシオコンバータ切替レバー２４を時計回り方向に１８０度操作してレシオコンバータ３０を使用位置Ｑに位置させるレシオコンバータ・インの位置に設定する。レシオコンバータ切替レバー２４を時計回り方向に操作すると、レシオコンバータ切替レバー２４軸の５８に固設されたプレート部材６０が時計回り方向に回転し、引張バネ７４の一端を支持しているピン６２の位置が移動する。
【００３２】
こうして、引張バネ７４の支点が移動し、引張バネ７４による扇形状歯車６４の付勢方向が変わる。即ち、扇形状歯車６４は反時計回り方向に付勢され、扇形状歯車６４は引張バネ７４の付勢力によって反時計回り方向に回動する。この扇形状歯車６４の回動によって、レシオコンバータ３０の枠体３６は軸３４を中心に時計回り方向に回動し、レシオコンバータ３０は使用位置Ｑに移動する。そして、レシオコンバータ３０の平坦部３６Ｂがエクステンダー２８のストッパ３８の頭部に押し当てられ、レシオコンバータ３０が使用位置Ｑに維持される。
【００３３】
図９に示した状態（エクステンダー・アウト、レシオコンバータ・イン）でエクステンダー切替レバー２２を操作してエクステンダー挿入の操作を行うと、図７で説明したようにエクステンダー２８が使用位置Ｑの方向に回動する。このとき、エクステンダー２８のストッパ３８とレシオコンバータ３０の平坦部３６Ｂとは互いに接触しているので、エクステンダー２８の挿入動作によってレシオコンバータ３０は使用位置Ｑから撮影光路外へと押し出される（図１０参照）。
【００３４】
そして、レシオコンバータ３０は、レシオコンバータ切替レバー２４の操作位置（レシオコンバータ・インの設定位置）とは逆の方向（レシオコンバータ・アウトに相当する退避位置Ｐ2 ）に強制的に移動され、扇形状歯車６４は引張バネ７４の付勢力に抗して図１０中時計回転方向に回動する。
これにより、引張バネ７４の一端を支持したピン７２が移動して引張バネ７４が引き伸ばされ、該引張バネ７４にバネが縮む方向の力が蓄えられる。こうして、レシオコンバータ３０は退避位置Ｐ2 に移動し、代わってエクステンダーが撮影光路中の使用位置Ｑに進出する。
【００３５】
図１０に示した状態で、次に、エクステンダー切替レバー２２を操作してエクステンダー・アウトに設定すると、その操作に応じてエクステンダー２８は撮影光路上から退避する（図１１参照）。そして、エクステンダー２８が使用位置Ｑから退避位置Ｐ1 へと移動することによって、引張バネ７４に蓄えられていた力によって扇形状歯車６４が図１１に示したように時計回り方向に回動する。こうして、レシオコンバータ３０は撮影光路中の使用位置Ｑに復帰する。
【００３６】
これにより、レシオコンバータ３０の使用時には、エクステンダー２８の挿脱動作にレシオコンバータ３０の挿脱動作を追従させることができ、レンズ切替操作が容易になる。また、エクステンダー２８の挿入によって使用位置Ｑから強制的に押し出されたレシオコンバータ３０を、エクステンダー２８の退避動作とともに引張バネ７４の付勢力によって元の使用位置Ｑに復帰させるようにしたので、クラッチ等の複雑な機構が不要となる。
【００３７】
尚、図９に示した状態からレシオコンバータ切替レバー２４を反時計回り方向に操作して図８に示した退避状態に戻すこともできる。
図１２には、図８に示した状態（スルー状態）からエクステンダー切替レバー２２を操作してエクステンダー２８を使用位置Ｑに移動させた場合の様子が示されている。スイッチャブル対応カメラをアスペクト比１６：９で使用する場合、又は、アスペクト比４：３のスタンダードカメラを使用する場合には、通常は図８に示した状態（スルー状態）に設定する。そして、エクステンダー２８を使用するときには、図７で説明した如くエクステンダー切替レバー２２を回動操作して、エクステンダー・インの設定位置に合わせる。この操作によって、図１２に示したようにエクステンダー２８が使用位置Ｑに移動する。
【００３８】
また、エクステンダー２８の使用を解除するときには、エクステンダー切替レバー２２を逆方向に回動操作して、エクステンダー・アウトの設定位置に合わせる。この操作によって、図８に示すようにエクステンダー２８が退避位置Ｐ1 に移動し、スルー状態に戻る。
上記実施の形態では、２倍のエクステンダー２８と、約０．８倍のレシオコンバータ３０とを切り替える場合を例に説明したが、変換レンズの倍率は各種の倍率とすることができる。
【００３９】
また、上記実施の形態では、本発明をテレビカメラ用ズームレンズ装置に適用した場合を例に説明したが、本発明は各種の撮影光学系に広く適用することが可能である。
【００４０】
【発明の効果】
以上説明したように本発明に係る変換レンズ切替装置によれば、第１の変換レンズを挿脱操作する第１の操作手段と、第２の変換レンズを挿脱操作する第２の操作手段とを設けたことで、各変換レンズを個別に切替動作させることができる。特に、第２の変換レンズの回動動作に連動して回動する連動部材と第２の操作手段との間を付勢手段で連結し、該付勢手段によって連動部材を回動方向に付勢するとともに、第２の操作部材の操作方向に応じてその付勢方向が変わるようにしたので、第１の変換レンズの挿入によって撮影光路から強制的に押し出された第２の変換レンズを、第１の変換レンズの退避動作とともに付勢手段の付勢力によって元の撮影光路中の使用位置（第１の使用位置）に復帰させることができる。
【００４１】
こうして、第２の変換レンズの使用時において、第１の変換レンズの挿脱動作に第２の変換レンズの挿脱動作を追従させることができ、レンズ切替操作が容易になる。また、従来のようなクラッチ機構等が不要で簡単に構成することができるという利点がある。
更に、第１の変換レンズと第２の変換レンズとを共通の軸に独立して回動自在に設けることにより、一層の省スペース化を図ることができる。
【００４２】
本発明は、２倍以上の拡大系レンズ（エクステンダー）と等倍（１倍）未満の縮小系レンズ（レシオコンバータ）とを選択的に切り替える変換レンズ切替装置に適用することが可能であり、有効撮像画面のアスペクト比を４：３と１６：９とに選択的に切り替えることができるテレビカメラに用いられるテレビレンズに組み込むと一層効果的である。
【図面の簡単な説明】
【図１】本発明の実施の形態に係る変換レンズ切替装置を適用したテレビカメラ用ズームレンズ装置の外観平面図
【図２】図１に示したテレビカメラ用ズームレンズ装置の背面図
【図３】図１に示したテレビカメラ用ズームレンズ装置の正面図
【図４】図１に示したエクステンダー部の正面透視図
【図５】エクステンダー部の断面図
【図６】エクステンダーの動作を説明する為に用いた要部正面透視図
【図７】エクステンダーの動作を説明する為に用いた要部正面透視図
【図８】本発明の実施の形態に係る変換レンズ切替装置の作用を説明する為に用いた  要部正面透視図
【図９】本発明の実施の形態に係る変換レンズ切替装置の作用を説明する為に用いた  要部正面透視図
【図１０】本発明の実施の形態に係る変換レンズ切替装置の作用を説明する為に用いた  要部正面透視図
【図１１】本発明の実施の形態に係る変換レンズ切替装置の作用を説明する為に用いた  要部正面透視図
【図１２】本発明の実施の形態に係る変換レンズ切替装置の作用を説明する為に用いた  要部正面透視図
【符号の説明】
１…テレビカメラ用ズームレンズ装置
２…レンズ本体
６…駆動ユニット
２０…エクステンダー部（変換レンズ切替装置）
２２…エクステンダー切替レバー（第１の操作手段）
２４…レシオコンバータ切替レバー（第２の操作手段）
２８…エクステンダー（第１の変換レンズ）
３０…レシオコンバータ（第２の変換レンズ）
３２…エクステンダーの枠体
３４…支軸
３６…レシオコンバータの枠体
４２…ギヤ
６４…扇形状歯車（連動部材）
７４…引張バネ（付勢手段）
【図１】
0003799590.tif 000002
【図２】
0003799590.tif 000003
【図３】
0003799590.tif 000004
【図４】
0003799590.tif 000005
【図５】
0003799590.tif 000006
【図６】
0003799590.tif 000007
【図７】
0003799590.tif 000008
【図８】
0003799590.tif 000009
【図９】
0003799590.tif 000010
【図１０】
0003799590.tif 000011
【図１１】
0003799590.tif 000012
【図１２】
0003799590.tif 000013